(57)【特許請求の範囲】
【請求項１】
デジタル放送受信機において、
所望チャンネルの周波数に選局し、この選局したチャンネルのデジタル放送信号を復調してトランスポートストリームを出力する選局手段と、
前記トランスポートストリームから音声映像ストリームを分離し、この分離した音声映像ストリームのデコード処理を行う音声映像処理手段と、
オペレーティングシステム上で動作する第１の制御プログラム、及び前記オペレーティングシステムを介さずに動作し前記選局手段のみを制御する第２の制御プログラムを備え、前記第１または第２の制御プログラムを実行することにより、前記選局手段及び前記音声映像処理手段を制御して選局デコード動作を行う制御手段と、
を有し、
前記制御手段は、本装置起動後の最初の選局デコード動作の際には前記第２の制御プログラムを実行し、この第２の制御プログラムによって前記選局手段に選局命令を出力し、この選局命令により前記選局手段に選局動作を行なわせている間に、前記オペレーティングシステムを起動して、制御プログラムを前記第２の制御プログラムから前記オペレーティングシステム上で動作する第１の制御プログラムに切り替えて、この第１の制御プログラムを実行し、この第１の制御プログラムが実行する最初の選局デコード動作の際は、前記選局手段の制御は行わず、前記音声映像処理手段の制御を行う制御手段である、
ことを特徴とするデジタル放送受信機。
【請求項２】
デジタル放送受信機において、
所望チャンネルの周波数に選局し、この選局したチャンネルのデジタル放送信号を復調してトランスポートストリームを出力する選局手段と、
前記トランスポートストリームから音声映像ストリームを分離し、この分離した音声映像ストリームのデコード処理を行う音声映像処理手段と、
オペレーティングシステム上で動作する第１の制御プログラム、及び前記オペレーティングシステムを介さずに動作し前記選局手段のみを制御する第２の制御プログラムを備え、前記第１または第２の制御プログラムを実行することにより、前記選局手段及び前記音声映像処理手段を制御して選局デコード動作を行う制御手段と、
を有し、
前記制御手段は、本装置起動後に前記オペレーティングシステムを起動し、このオペレーティングシステム起動後の最初の選局デコード動作の際には前記第２の制御プログラムを実行し、この第２の制御プログラムによって前記選局手段に選局命令を出力し、この選局命令により前記選局手段に選局動作を行なわせている間に、制御プログラムを前記第２の制御プログラムから前記オペレーティングシステム上で動作する第１の制御プログラムに切り替えて、この第１の制御プログラムを実行し、この第１の制御プログラムが実行する最初の選局デコード動作の際は、前記選局手段の制御は行わず前記音声映像処理手段の制御を行う制御手段である、
ことを特徴とするデジタル放送受信機。
【発明の詳細な説明】
【技術分野】
【０００１】
本発明は、デジタル化された放送を受信するデジタル放送受信機に関する。
【背景技術】
【０００２】
近年、衛星ＴＶ放送や地上ＴＶ放送などがデジタル化された。そのデジタル化された放送を受信するデジタル放送受信機は、アナログＴＶと異なり、ＰＣのようにＣＰＵを備え、ＯＳ（Operating System）やアプリケーションといったソフトウェアが動作し、ソフトウェア処理によって様々なハードウェアを制御することにより放送を受信し、映像や音声を再生する。
【０００３】
このような形態であるため、電源投入から選局、受信した映像や音声が出力されるまでの時間がアナログＴＶよりも長くかかる。また、チャンネルＵＰ／ＤＯＷＮといった選局処理にもアナログＴＶよりも長時間を要している。
【０００４】
そこで、選局処理に要する時間を短縮する方法として、特許文献１に開示されたものがある。特許文献１は、選局処理の際にＡＶデコードに必要な情報をトランスポートストリーム（ＴＳ）に入っているテーブル情報（ＰＭＴ：Program Map Table）から取得する前に、前回そのserviceを選局したときのテーブル情報を記憶しておき、その情報を使ってＡＶデコードの準備を開始し、その後、ＴＳから取得したテーブル情報と違いがあれば、ＡＶデコードの準備処理をやり直すというものである。このような方法でＡＶデコードの準備処理を工夫することにより、選局処理の高速化を図っている。
【０００５】
このように選局処理自体を高速化することによっても、電源投入後の映像音声が出力されるまでの時間を短縮することが可能である。通常、電源投入後のデジタル放送受信機の動作としては、ユーザが前回の電源ＯＦＦ時に選局していたラストチャンネルとしてservice＿id等必要な情報を記憶しておき、再度電源ＯＮにしたときには、そのラストチャンネルをチューニングし、ＡＶデコードを開始するという動作である。特許文献１に開示された選局処理の高速化方法は、ラストチャンネルのチューニング完了後、ＡＶデコードを開始する際の準備処理を高速化することによって実現されている。
【特許文献１】特開２００１−３４６１０９号公報
【発明の開示】
【発明が解決しようとする課題】
【０００６】
しかしながら、特許文献１に開示された選局処理の高速化方法のように個別の処理を高
速化するだけでは、電源投入後に映像や音声が出力されるまでの時間の短縮には限りがあった。
【０００７】
本発明は上記に鑑みてなされたもので、電源投入からＡＶ再生までの時間を短縮したデジタル放送受信機を提供することを目的とする。
【課題を解決するための手段】
【０００８】
そこで上記目的を達成するために本発明は、下記の装置を提供するものである。
（１）デジタル放送受信機において、
所望チャンネルの周波数に選局し、この選局したチャンネルのデジタル放送信号を復調してトランスポートストリームを出力する選局手段と、
前記トランスポートストリームから音声映像ストリームを分離し、この分離した音声映像ストリームのデコード処理を行う音声映像処理手段と、
オペレーティングシステム上で動作する第１の制御プログラム、及び前記オペレーティングシステムを介さずに動作し前記選局手段のみを制御する第２の制御プログラムを備え、前記第１または第２の制御プログラムを実行することにより、前記選局手段及び前記音声映像処理手段を制御して選局デコード動作を行う制御手段と、
を有し、
前記制御手段は、本装置起動後の最初の選局デコード動作の際には前記第２の制御プログラムを実行し、この第２の制御プログラムによって前記選局手段に選局命令を出力し、この選局命令により前記選局手段に選局動作を行なわせている間に、前記オペレーティングシステムを起動して、制御プログラムを前記第２の制御プログラムから前記オペレーティングシステム上で動作する第１の制御プログラムに切り替えて、この第１の制御プログラムを実行し、この第１の制御プログラムが実行する最初の選局デコード動作の際は、前記選局手段の制御は行わず、前記音声映像処理手段の制御を行う制御手段である、
ことを特徴とするデジタル放送受信機。
（２）デジタル放送受信機において、
所望チャンネルの周波数に選局し、この選局したチャンネルのデジタル放送信号を復調してトランスポートストリームを出力する選局手段と、
前記トランスポートストリームから音声映像ストリームを分離し、この分離した音声映像ストリームのデコード処理を行う音声映像処理手段と、
オペレーティングシステム上で動作する第１の制御プログラム、及び前記オペレーティングシステムを介さずに動作し前記選局手段のみを制御する第２の制御プログラムを備え、前記第１または第２の制御プログラムを実行することにより、前記選局手段及び前記音声映像処理手段を制御して選局デコード動作を行う制御手段と、
を有し、
前記制御手段は、本装置起動後に前記オペレーティングシステムを起動し、このオペレーティングシステム起動後の最初の選局デコード動作の際には前記第２の制御プログラムを実行し、この第２の制御プログラムによって前記選局手段に選局命令を出力し、この選局命令により前記選局手段に選局動作を行なわせている間に、制御プログラムを前記第２の制御プログラムから前記オペレーティングシステム上で動作する第１の制御プログラムに切り替えて、この第１の制御プログラムを実行し、この第１の制御プログラムが実行する最初の選局デコード動作の際は、前記選局手段の制御は行わず前記音声映像処理手段の制御を行う制御手段である、
ことを特徴とするデジタル放送受信機。
【発明の効果】
【０００９】
本発明のデジタル放送受信機によれば、電源投入からＡＶ再生までの時間を短縮することを可能とし、ユーザがデジタル放送受信機の電源投入後、映像や音声を鑑賞するまでの待ち時間を短くすることができる。
【発明を実施するための最良の形態】
【００１０】
以下、本発明のデジタル放送受信機を実施するための最良の形態について、図面を参照して説明する。
（実施例１）
図１は本発明の実施例１のデジタル放送受信機の構成を示すブロック図である。ＢＳデジタルＮＩＭ制御部２は、所望チャンネルの周波数にチューニングし、アンテナ１で受信したＢＳデジタル放送信号を復調してＴＳを出力する。地上デジタルＮＩＭ制御部３は、所望チャンネルの周波数にチューニングし、アンテナ１で受信した地上デジタル放送信号を復調してＴＳを出力する。
【００１１】
ＤＥＭＵＸ・ＡＶデコーダ部４は、デマルチプレクサ（ＤＥＭＵＸ）４１とＡＶデコーダ４２とを有し、ＤＥＭＵＸ４１は、ＢＳデジタルＮＩＭ制御部２又は地上デジタルＮＩＭ制御部３から入力されたＴＳからＡＶ再生に必要なテーブル情報や音声ストリーム、映像ストリームを分離する。また、ＡＶデコーダ４２は、ＤＥＭＵＸ４１で分離された音声ストリーム、映像ストリームを復号し、ＡＶデコードを行う。
【００１２】
画面音声出力部５は、ＤＥＭＵＸ・ＡＶデコーダ部４でデコードされた映像信号の拡大縮小や音声信号の加工などを行い、映像信号や音声信号を出力する。
全体制御部６は、ＣＰＵを有し、デジタル放送受信機に設けられた各部を制御する。また、フラッシュメモリ８に格納された各種のプログラムを実行する。
【００１３】
メモリ７は、ＲＡＭと呼ばれる記憶エリアで、全体制御部６のＣＰＵのワークエリアであり、ＣＰＵが処理を実行する際にプログラムやデータをread/writeする。
フラッシュメモリ８は、不揮発性のメモリで、ＯＳやアプリケーション、ＢＩＯＳなどのプログラムや、ラストチャンネルの情報など電源ＯＦＦ後も保存しておく必要があるデータをread/writeする。
【００１４】
セレクタ９は端子９ａ，９ｂ，９ｃを有し、全体制御部６からの切り替え指示により端子９ｂ−９ａが接続されたときにはＢＳデジタルＮＩＭ制御部２とＤＥＭＵＸ・ＡＶデコーダ部４とが接続され、端子９ｃ−９ａが接続されたときには地上デジタルＮＩＭ制御部３とＤＥＭＵＸ・ＡＶデコーダ部４とが接続される。
【００１５】
ここで、従来の電源投入からＡＶ再生までの動作を説明する。図２は従来の電源投入からＡＶ再生までのデジタル放送受信機の動作を示すフローチャートである。
電源投入後、全体制御部６は、ＢＩＯＳプログラムを実行する。そして、ステップＳ１１０では、全体制御部６は、ＢＩＯＳプログラムに従い、フラッシュメモリ８に格納されているＯＳをメモリ７上にロードし、特定のアドレスから実行を開始する。
【００１６】
次に、ステップＳ１２０では、全体制御部６は、ＯＳの初期化処理を順次実行する。そして、ＯＳの初期化処理が完了した後、ステップＳ１３０では、全体制御部６は、ＯＳに従い、指定されたアプリケーションをメモリ７上にロードし、アプリケーションを起動する。
【００１７】
その後、ステップＳ１４０では、全体制御部６は、アプリケーションの初期化処理を実行する。
そして、アプリケーションの初期化処理が完了した後、ステップＳ１５０では、全体制御部６は、アプリケーションに従い、前回の電源ＯＦＦ前の最後にユーザが鑑賞していたＣＨ（service）の周波数情報、network＿id、ts＿id、service＿id等のラストチャンネル情報をフラッシュメモリ８からreadし、そのラストチャンネル情報に基づき、ＢＳデジタルＮＩＭ制御部２又は地上デジタルＮＩＭ制御部３にチューニング指示を出力する。また、全体制御部６は、network＿idに従いセレクタ９に切り替え指示を出力する。
【００１８】
そして、ＢＳデジタルＮＩＭ制御部２又は地上デジタルＮＩＭ制御部３がチューニング処理を完了するまで待ち、完了した後、ステップＳ１６０では、全体制御部６は、アプリケーションに従い、ＤＥＭＵＸ・ＡＶデコーダ部４にservice＿idを設定し、そのserviceのＰＡＴ（Program Association Table）、ＰＭＴ等のテーブル情報をＤＥＭＵＸ４１から取得する。そして、全体制御部６は、アプリケーションに従い、ＰＭＴからの情報に基づいてＡＶデコーダ４２に映像ストリームや音声ストリームの指定を行い、ＡＶデコードを開始するように制御する。
【００１９】
上記説明の処理においては、ＢＳデジタルＮＩＭ制御部２又は地上デジタルＮＩＭ制御部３のチューニング処理に多くの時間を消費する。そこで実施例１では、ＢＳデジタルＮＩＭ制御部２又は地上デジタルＮＩＭ制御部３のチューニング処理と並行してＯＳの初期化処理を行うことにより、電源投入からＡＶ再生までの時間を短縮する。
【００２０】
図３は本発明の実施例１のデジタル放送受信機の電源投入からＡＶ再生までの動作を示すフローチャートである。前述のチューニング処理の待ち時間（ステップＳ１５０からＳ１６０の待ち時間）を省略するため、以下のような処理を行う。
【００２１】
電源投入後、全体制御部６は、ＢＩＯＳプログラムを実行する。そして、ステップＳ２１０では、全体制御部６は、ＢＩＯＳプログラムに従い、フラッシュメモリ８に格納されているラストチャンネル情報に基づいてＢＳデジタルＮＩＭ制御部２又は地上デジタルＮＩＭ制御部３にチューニング指示を出力する。
【００２２】
そして、ステップＳ２２０では、全体制御部６は、チューニング処理の完了を待たずに、ＢＩＯＳプログラムに従い、フラッシュメモリ８に格納されているＯＳをメモリ７上にロードし、特定のアドレスから実行を開始する。
【００２３】
次に、ステップＳ２３０では、全体制御部６は、ＯＳの初期化処理を順次実行する。そして、ＯＳの初期化処理が完了した後、ステップＳ２４０では、全体制御部６は、ＯＳに従い、指定されたアプリケーションをメモリ７上にロードし、アプリケーションを起動する。その後、ステップＳ２４０では、全体制御部６は、アプリケーションの初期化処理を実行する。
【００２４】
そして、アプリケーションの初期化処理が完了した後、ステップＳ２６０では、全体制御部６は、アプリケーションに従い、ラストチャンネル情報をフラッシュメモリ８からreadし、そのラストチャンネル情報に基づいて既にＢＳデジタルＮＩＭ制御部２又は地上デジタルＮＩＭ制御部３がチューニング処理を完了していることを確認する。もし、ここで完了していなければ、例外処理としてチューニング処理の完了を待つ処理をいれても良い。その後、全体制御部６は、network＿idに従いセレクタ９に切り替え指示を出力する。
【００２５】
そして、全体制御部６は、アプリケーションに従い、ＤＥＭＵＸ・ＡＶデコーダ部４にservice＿idを設定し、そのserviceのＰＡＴ、ＰＭＴ等のテーブル情報をＤＥＭＵＸ４１から取得する。そして、全体制御部６は、アプリケーションに従い、ＰＭＴからの情報に基づいてＡＶデコーダ４２に映像ストリームや音声ストリームの指定を行い、ＡＶデコードを開始するように制御する。
【００２６】
実施例１のデジタル放送受信機によれば、ＢＳデジタルＮＩＭ制御部２又は地上デジタルＮＩＭ制御部３がチューニング処理を行っている待ち時間にＯＳの初期化処理を行い、その後の選局の際にはチューニング処理を省略してＡＶ再生処理を開始する。このようにチューニング処理とＯＳの初期化処理とを並行して処理することにより、電源投入から映像や音声の出力までの待ち時間を短縮することが可能となり、ユーザにとってより利便性の良いデジタル放送受信機を提供することが可能となる。
（実施例２）
図４は本発明の実施例２のデジタル放送受信機の電源投入からＡＶ再生までの動作を示すフローチャートである。実施例２のデジタル放送受信機の構成は実施例１と同様である。
【００２７】
電源投入後、全体制御部６は、ＢＩＯＳプログラムを実行する。そして、ステップＳ３１０では、全体制御部６は、ＢＩＯＳプログラムに従い、フラッシュメモリ８に格納されているＯＳをメモリ７上にロードし、特定のアドレスから実行を開始する。
【００２８】
次に、ステップＳ３２０では、全体制御部６は、ＯＳの初期化処理を順次実行する。そして、ＯＳの初期化処理が完了した後、ステップＳ３３０では、全体制御部６は、ＯＳに従い、指定されたチューニングプログラムをメモリ７上にロードし、フラッシュメモリ８に格納されているラストチャンネル情報に基づき、ＢＳデジタルＮＩＭ制御部２又は地上デジタルＮＩＭ制御部３にチューニング指示を出力する。
【００２９】
そして、ステップＳ３４０では、全体制御部６は、チューニング処理の完了を待たずに、ＯＳに従い、指定されたアプリケーションをメモリ上にロードし、アプリケーションを起動する。その後、ステップＳ３５０では、全体制御部６は、アプリケーションの初期化処理を実行する。
【００３０】
そして、アプリケーションの初期化処理が完了した後、ステップＳ３６０では、全体制御部６は、アプリケーションに従い、ラストチャンネル情報をフラッシュメモリ８からreadし、そのラストチャンネル情報に基づき、既にＢＳデジタルＮＩＭ制御部２又は地上デジタルＮＩＭ制御部３がチューニング処理を完了していることを確認する。もし、ここで完了していなければ、例外処理としてチューニング完了を待つ処理をいれても良い。その後、全体制御部６は、network＿idに従いセレクタ９に切り替え指示を出力する。
【００３１】
そして、全体制御部６は、アプリケーションに従い、ＤＥＭＵＸ・ＡＶデコーダ部４にservice＿idを設定し、そのserviceのＰＡＴ、ＰＭＴ等のテーブル情報をＤＥＭＵＸ４１から取得する。そして、全体制御部６は、アプリケーションに従い、ＰＭＴからの情報に基づいてＡＶデコーダ４２に映像ストリームや音声ストリームの指定を行い、ＡＶデコードを開始するように制御する。
【００３２】
実施例２のデジタル放送受信機によれば、ＯＳを起動後、ＢＳデジタルＮＩＭ制御部２又は地上デジタルＮＩＭ制御部３がチューニング処理を行っている待ち時間にアプリケーションの初期化処理を行い、その後の選局の際にはチューニング処理を省略してＡＶ再生処理を開始する。こうすることにより、電源投入から映像や音声の出力までの待ち時間を短縮することが可能となり、ユーザにとってより利便性の良いデジタル放送受信機を提供することが可能となる。
（実施例３）
図５は本発明の実施例３のデジタル放送受信機の電源投入からＡＶ再生までの動作を示すフローチャートである。実施例３のデジタル放送受信機の構成は実施例１と同様である。
【００３３】
図５は本発明の実施例３のデジタル放送受信機の電源投入からＡＶ再生までの動作を示すフローチャートである。
電源投入後、全体制御部６は、ＢＩＯＳプログラムを実行する。そして、ステップＳ４１０では、全体制御部６は、ＢＩＯＳプログラムに従い、フラッシュメモリ８に格納されているラストチャンネル情報に基づいてＢＳデジタルＮＩＭ制御部２又は地上デジタルＮＩＭ制御部３にチューニング指示を出力する。
そして、ステップＳ４２０では、全体制御部６は、ＢＩＯＳプログラムに従い、フラッシュメモリ８に格納されているラストチャンネル情報に基づいてＡＶデコーダ４２に映像ストリームや音声ストリームの指定を行い、ＡＶデコードを開始するように制御し、network＿idに従いセレクタ９に切り替え指示を出力する。
【００３４】
そして、ステップＳ４３０では、全体制御部６は、チューニング処理およびＡＶデコード処理の完了を待たずに、ＢＩＯＳプログラムに従い、フラッシュメモリ８に格納されているＯＳをメモリ７上にロードし、特定のアドレスから実行を開始する。
【００３５】
次に、ステップＳ４４０では、全体制御部６は、ＯＳの初期化処理を順次実行する。そして、ＯＳの初期化処理が完了した後、ステップＳ４５０では、全体制御部６は、ＯＳに従い、指定されたアプリケーションをメモリ７上にロードし、アプリケーションを起動する。その後、ステップＳ４６０では、全体制御部６は、アプリケーションの初期化処理を実行する。
【００３６】
そして、アプリケーションの初期化処理が完了した後、全体制御部６は、アプリケーションに従い、ラストチャンネル情報をフラッシュメモリ８からreadし、そのラストチャンネル情報に基づいて既にＢＳデジタルＮＩＭ制御部２又は地上デジタルＮＩＭ制御部３がチューニング処理およびＡＶデコード処理が完了していることを確認し、その後に、ステップＳ４７０で、画面音声出力部５を制御し、デコードされた映像信号の拡大縮小や音声信号の加工などを行い、映像信号や音声信号を出力させる。もし、ここでチューニングが完了していなければ、例外処理としてチューニング処理の完了を待つ処理をいれても良い。また、全体制御部６は、アプリケーションに従い、そのserviceのＰＡＴ、ＰＭＴ等のテーブル情報をＤＥＭＵＸ４１から取得する。そして、全体制御部６は、アプリケーションに従い、既に設定してある情報とＰＭＴからの情報を比較し、もし違いがあれば再度ＰＭＴの情報に基づいてＡＶデコーダ４２に映像ストリームや音声ストリームの指定を行い、ＡＶデコードを開始するように制御する例外処理を入れても良い。
【００３７】
実施例３のデジタル放送受信機によれば、ＢＳデジタルＮＩＭ制御部２又は地上デジタルＮＩＭ制御部３がチューニング処理を行っている待ち時間およびＤＥＭＵＸ・ＡＶデコーダ部４がＡＶデコード処理を行っている待ち時間にＯＳの初期化処理を行い、その後の選局の際にはチューニング処理とＡＶデコード処理を省略する。このようにチューニング処理およびＡＶデコード処理とＯＳの初期化処理とを並行して処理することにより、電源投入から映像や音声の出力までの待ち時間を短縮することが可能となり、ユーザにとってより利便性の良いデジタル放送受信機を提供することが可能となる。
（実施例４）
図６は本発明の実施例４のデジタル放送受信機の電源投入からＡＶ再生までの動作を示すフローチャートである。実施例４のデジタル放送受信機の構成は実施例１と同様である。
【００３８】
電源投入後、全体制御部６は、ＢＩＯＳプログラムを実行する。そして、ステップＳ５１０では、全体制御部６は、ＢＩＯＳプログラムに従い、フラッシュメモリ８に格納されているＯＳをメモリ７上にロードし、特定のアドレスから実行を開始する。
【００３９】
次に、ステップＳ５２０では、全体制御部６は、ＯＳの初期化処理を順次実行する。そして、ＯＳの初期化処理が完了した後、ステップＳ５３０では、全体制御部６は、ＯＳに従い、指定されたチューニングプログラムをメモリ７上にロードし、フラッシュメモリ８に格納されているラストチャンネル情報に基づき、ＢＳデジタルＮＩＭ制御部２又は地上デジタルＮＩＭ制御部３にチューニング指示を出力する。
【００４０】
そして、ステップＳ５４０では、全体制御部６は、ＢＩＯＳプログラムに従い、フラッシュメモリ８に格納されているラストチャンネル情報に基づいてＡＶデコーダ４２に映像ストリームや音声ストリームの指定を行い、ＡＶデコードを開始するように制御し、network＿idに従いセレクタ９に切り替え指示を出力する。
そして、ステップＳ５５０では、全体制御部６は、チューニング処理、ＡＶデコード処理の完了を待たずに、ＯＳに従い、指定されたアプリケーションをメモリ上にロードし、アプリケーションを起動する。その後、ステップＳ５６０では、全体制御部６は、アプリケーションの初期化処理を実行する。
そして、アプリケーションの初期化処理が完了した後、全体制御部６は、アプリケーションに従い、ラストチャンネル情報をフラッシュメモリ８からreadし、そのラストチャンネル情報に基づき、既にＢＳデジタルＮＩＭ制御部２又は地上デジタルＮＩＭ制御部３がチューニング処理を完了していることを確認し、その後に、ステップＳ５７０で、画面音声出力部５を制御し、デコードされた映像信号の拡大縮小や音声信号の加工などを行い、映像信号や音声信号を出力させる。もし、ここで完了していなければ、例外処理としてチューニング完了を待つ処理をいれても良い。また、全体制御部６は、アプリケーションに従い、そのserviceのＰＡＴ、ＰＭＴ等のテーブル情報をＤＥＭＵＸ４１から取得する。そして、全体制御部６は、アプリケーションに従い、既に設定してある情報とＰＭＴからの情報を比較し、もし違いがあれば再度ＰＭＴの情報に基づいてＡＶデコーダ４２に映像ストリームや音声ストリームの指定を行い、ＡＶデコードを開始するように制御する例外処理を入れても良い。
【００４１】
実施例４のデジタル放送受信機によれば、ＯＳを起動後、ＢＳデジタルＮＩＭ制御部２又は地上デジタルＮＩＭ制御部３がチューニング処理を行っている待ち時間およびＤＥＭＵＸ・ＡＶデコーダ部４がＡＶデコード処理を行っている待ち時間にアプリケーションの初期化処理を行い、その後の選局の際にはチューニング処理とＡＶデコード処理を省略する。こうすることにより、電源投入から映像や音声の出力までの待ち時間を短縮することが可能となり、ユーザにとってより利便性の良いデジタル放送受信機を提供することが可能となる。
【００４２】
また、本発明は、上記した装置の機能をコンピュータに実現させるためのプログラムを含むものである。これらのプログラムは、記録媒体から読みとられてコンピュータに取り込まれてもよいし、通信ネットワークを介して伝送されてコンピュータに取り込まれてもよい。
【図面の簡単な説明】
【００４３】
【図１】本発明の実施例１のデジタル放送受信機の構成を示すブロック図である。
【図２】従来の電源投入からＡＶ再生までのデジタル放送受信機の動作を示すフローチャートである。
【図３】本発明の実施例１のデジタル放送受信機の電源投入からＡＶ再生までの動作を示すフローチャートである。
【図４】本発明の実施例２のデジタル放送受信機の電源投入からＡＶ再生までの動作を示すフローチャートである。
【図５】本発明の実施例３のデジタル放送受信機の電源投入からＡＶ再生までの動作を示すフローチャートである。
【図６】本発明の実施例４のデジタル放送受信機の電源投入からＡＶ再生までの動作を示すフローチャートである。
【符号の説明】
【００４４】
１  アンテナ
２  ＢＳデジタルＮＩＭ制御部
３  地上デジタルＮＩＭ制御部
４  ＤＥＭＵＸ・ＡＶデコーダ部
５  画面音声出力部
６  全体制御部
７  メモリ
８  フラッシュメモリ
９  セレクタ
【図１】
0004747870.tif 000002
【図２】
0004747870.tif 000003
【図３】
0004747870.tif 000004
【図４】
0004747870.tif 000005
【図５】
0004747870.tif 000006
【図６】
0004747870.tif 000007